(57)【要約】      （修正有）【課題】手作業により短時間で、しかも非熟練者でも容易に包装作業ができ、マルチパックとして包装した後は容器がパックの外に飛び出したり、包装材自体が破損したりしないマルチパック用の包装材を提供する。【解決手段】容器を複数個まとめて包装するマルチパック用包装材１は、容器を包んだとき容器の底部を包む底パック部２を中央部に有し、頂部を包む上パック部４、４ａを両端部に有しかつ前記底パック部と各上パック部との間に容器の側部を包む側面パック部３、３ａを有する全体として長方形のシート材から成り、前記シート材の一方の前記上パック部の端部には少なくとも一つの差込片が１１突出して形成され、他方の前記上パック部に隣接する側面パック部には前記差込片を受ける切り込み部２３が形成され、前記差込片が形成された前記一方の上パック部には一対の把持用開口形成用の切り込み部１５が形成され、前記他方の上パック部には把持用開口２６が形成されている。【選択図】  図１
2004359256.tif 000002
【特許請求の範囲】
【請求項１】
容器を複数個まとめて包装するマルチパック用包装材において、
容器を包んだとき容器の底部を包む底パック部を中央部に有し、頂部を包む上パック部を両端部に有しかつ前記底パック部と各上パック部との間に容器の側部を包む側面パック部を有する全体として長方形のシート材から成り、
前記シート材の一方の前記上パック部の端部には少なくとも一つの差込片が形成され、
他方の前記上パック部に隣接する側面パック部には前記差込片を受ける切り込み部が形成され、
前記差込片が形成された前記一方の上パック部には一対の把持用開口形成用の切り込み部が形成され、前記他方の上パック部には把持用開口が形成されている、
ことを特徴とするマルチパック用包装材。
【請求項２】
請求項１に記載のマルチパック用包装材において、
前記差込片及び前記切り込み部が、前記シート材の長手方向中心線を中心とする対称の二つの位置にそれぞれ形成されていることを特徴とするマルチパック用包装材。
【請求項３】
請求項１又は２に記載のマルチパック用包装材において、
前記一対の把持用開口形成用の切り込み部の間に仮止めタブ形成用の仮止めタブ切り込み部が形成され、前記把持用開口の間に仮止め開口が形成されていることを特徴とするマルチパック用包装材。
【請求項４】
請求項１又は２に記載のマルチパック用包装材において、
前記一方の上パック部には前記切り込み部と前記包装材の縁部との間に仮止めタブ形成用の仮止めタブ切り込み部が形成され、前記他方の上パック部には前記把持用開口と縁部との間に仮止め開口が形成されていることを特徴とするマルチパック用包装材。
【請求項５】
請求項１ないし４の何れかに記載のマルチパック用包装材において、
前記底パック部と前記側面パック部との境界部には各容器の底縁の一部を受けて容器を位置決めする位置決め開口が形成されていることを特徴とするマルチパック用包装材。
【請求項６】
請求項５に記載のマルチパック用包装材において、
前記側面パック部には、上パック部との境界部近傍に、各容器の頂部縁の一部を受けて容器を位置決めする位置決め開口が形成されていることを特徴とするマルチパック用包装材。
【請求項７】
請求項１ないし６の何れかに記載のマルチパック用包装材において、
前記底パック部には容器底部の表記を確認できる確認開口が形成されていることを特徴とするマルチパック用包装材。
【請求項８】
請求項１ないし７の何れかに記載のマルチパック用包装材において、
少なくとも前記一方の側面パック部には、前記シート材の縁部から幅方向に伸びる解体開始部が形成されていることを特徴とするマルチパック用包装材。
【請求項９】
請求項１ないし８の何れかに記載のマルチパック用包装材において、
前記底パック部と前記側面パック部との境界及び前記側面パック部と前記上パック部との境界には前記シート材の折り曲げを容易にする罫線が形成されていることを特徴とするマルチパック用包装材。
【発明の詳細な説明】
【０００１】
【産業上の利用分野】
本発明は、例えば酒類、清涼飲料等の缶或いは瓶等の容器を複数個まとめて包装するマルチパック用包装材に関し、詳細には、複数の容器を人手によりまとめて簡単包装できるようにしたマルチパック用包装材に関する。
【０００２】
【従来技術】
酒類、清涼飲料等の缶或いは瓶等の容器を複数個まとめて包装してそれらの容器のマルチパックを作ることは、例えば下記特許文献１に記載されているように、従来から広く知られ、行われている。このようなマルチパックは、通常大量に生産される場合には包装機械により短時間で作るが、少量の場合には手作業で行っているため、マルチパックを手作業でつくろうとすると、包装の熟練者であっても、時間が掛かり、また、包装してできあがったマルチパック自体も不安定に包装されてしまい、バランス良く包装されていないのが実状である。まして、熟練者でないものがかかる作業を円滑に行うことは極めて困難である。
【０００３】
【発明が解決しようとする課題】
現在まで、人手によりマルチパック包装を行うための包装材は、種々開発されているものの、短時間で包装できないものや、取っ手に指を入れて持ち上げる際に容器が包装体から分離したり、包装材が破損したりする問題が起こっている。
【０００４】
本発明はかかる従来のマルチパック用包装材の問題点に鑑みなされたものであって、手作業により短時間で、しかも非熟練者でも容易に包装作業ができ、マルチパックとして包装した後は容器がパックの外に飛び出したり、包装材自体が破損したりしないマルチパック用の包装材を提供することを目的とする。
【０００５】
【課題を解決するための手段】
本発明は、容器を複数個まとめて包装するマルチパック用包装材であって、容器を包んだとき容器の底部を包む底パック部を中央部に有し、頂部を包む上パック部を両端部に有しかつ前記底パック部と各上パック部との間に容器の側部を包む側面パック部を有する全体として長方形のシート材から成り、前記シート材の一方の前記上パック部の端部には少なくとも一つの差込片が形成され、他方の前記上パック部に隣接する側面パック部には前記差込片を受ける切り込み部が形成され、前記差込片が形成された前記一方の上パック部には一対の把持用開口形成用の切り込み部が形成され、前記他方の上パック部には把持用開口が形成されていることに特徴を有する。
本発明ではマルチパック用包装材を上記のように構成したので手作業による容器の包装を簡単かつ迅速に行うことができる。
上記のマルチパック用包装材において、前記差込片及び前記切り込み部が、前記シート材の長手方向中心線を中心とする対称の二つの位置にそれぞれ形成されていてもよい。
【０００６】
前記マルチパック用包装材において、前記一対の把持用開口形成用の切り込み部の間に仮止めタブ形成用の仮止めタブ切り込み部が形成され、前記把持用開口の間に仮止め開口が形成されていてもよく、また、前記一方の上パック部には前記切り込み部と前記包装材の縁部との間に仮止めタブ形成用の仮止めタブ切り込み部が形成され、前記他方の上パック部には前記把持用開口と縁部との間に仮止め開口が形成されていてもよい。これにより非熟練者でも容易に包装を行うことができる。
また、上記マルチパック用包装材において、前記底パック部と前記側面パック部との境界部には各容器の底縁の一部を受けて容器を位置決めする位置決め開口が形成されていてもよく、この場合、前記側面パック部には、上パック部との境界部近傍に、各容器の頂部縁の一部を受けて容器を位置決めする位置決め開口が形成されていてもよい。
包装材をこのようにすることによって、マルチパックにした場合、包装材内での容器が位置決めされ容器が不用意に動くことを防止できる。
更に、上記マルチパック用包装材において、前記底パック部には容器底部の表記を確認できる確認開口が形成されていてもよい。また、少なくとも前記一方の側面パック部には、前記シート材の縁部から幅方向に伸びる解体開始部が形成されていてもよい。このようにすることにより、マルチパックを解体して容器を個々に取り出すことが容易になる。
更にまた、上記マルチパック用包装材において、前記底パック部と前記側面パック部との境界及び前記側面パック部と前記上パック部との境界には前記シート材の折り曲げを容易にする罫線が形成されていてもよい。
【０００７】
【実施例】
以下図面を参照して本発明のマルチパック用包装材の一実施例について説明する。
図１において、本実施例のマルチパック用包装材（以下単に包装材）１が示されている。この包装材は、例えば、ボール紙或いは合成樹脂材等で作られ得る。この実施例の包装材１は、容器として缶を６個一まとめにパックするような寸法に、全体として長方形のシート材として形成されている。包装材１を構成するシート材は、長手方向（中心線Ｏ−Ｏに沿った方向）のほぼ中央に形成されていて容器すなわち缶を包装したとき缶の底部に面してその底部を包む底パック部２と、底パック部の両側に形成されていて容器を包装したとき容器の側部に面してその側部を包む第１及び第２の側面パック部３及び３ａと、側面パック部３及び３ａにそれぞれ隣接して形成されていて、容器を包装したとき容器の頂部に面してその頂部を包む第１及び第２の上パック部４及び４ａとを有する。底パック部２と側面パック部３及び３ａとの境界にはシート材の折り曲げを容易にする罫線５及び５ａが形成され、側面パック部３及び３ａと上パック部４及び４ａとの境界にはシート材の折り曲げを容易にする罫線６及び６ａが公知の方法で形成されている。
【０００８】
底パック部２には、容器が包装されてマルチパックとされた状態で、容器すなわち缶の底部に記載された表記を確認できるようにした確認開口７が打ち抜き形成されている。この確認開口７は、通常同じ製品を一つのパックとして包装するので、容器１個の底部の表示を確認できるように１個設けてあればよいが複数設けてもよい。底パック部２と第１及び第２の側面パック部３及び３ａとの境界の領域には、それぞれ複数（この実施例では６個の容器を包装するためそれぞれ３個）の位置決め開口８及び８ａが打ち抜き形成されている。位置決め開口８及び８ａは、この実施例ではシート材の折り曲げを容易にする罫線５及び５ａの底パック部側及び側面パック部側に広がっていて、容器の底縁の一部を受けて容器を位置決めするようになっている。位置決め開口８及び８ａの形状は変形六角形になっているが、包装材間で位置決めされ容器が不用意に動くことがないであれば、任意の形状にすることができる。隣接する位置決め開口の中心間の距離Ｌ１は、包装する容器の直径とほぼ同じになっている。
【０００９】
第１及び第２の側面パック部３及び３ａと第１及び第２の上パック部４及び４ａとの境界の領域には、それぞれ複数（この実施例では６個の容器を包装するためそれぞれ３個）の位置決め開口９及び９ａが打ち抜き形成されている。隣接する位置決め開口の中心間の距離も距離Ｌ１と同じように包装する容器の直径とほぼ同じになっている。位置決め開口９及び９ａは、この実施例ではシート材の折り曲げを容易にする罫線６及び６ａの側面パック部側に広がっていて、容器の頂部縁の一部を受けて容器を位置決めするようになっている。位置決め開口８及び８ａの形状は変形三日月形になっているが、包装材間で容器が位置決めされ容器が不用意に動くことがない形状であれば、任意の形状にすることができる。シート材の第１の上パック部４の端部には、端縁１０から中心線Ｏ−Ｏに沿って外側（反側面パック側）に伸びる一対の差込片１１が突出して形成されている。この差込片１１は中心線Ｏ−Ｏから距離Ｌ２の位置に中心線Ｏ’−Ｏ’を有するように、中心線Ｏ−Ｏを軸対称として形成されている。この位置は、容器がビール缶、清涼飲料缶のように円筒形の場合には、容器の半径とほぼ同じとし、隣接する容器の間に形成される空間を利用して差込片を後述する切り込み部に挿入し易くなるように決められている。差込片１１は、先細になった基部１２と、その基部の先端に形成された頭部１３とを有している。第１の上パック部４には、更に、容器を包装してできたマルチパックを手で持つために指を差し込むための把持用開口を形成するための切り込み部１５が２個形成されている。これらの切り込み部１５は中心線Ｏ−Ｏを軸対称に形成されていて略Ｃ形又は逆Ｃ形に形成されている。これらの切り込み部１５はシート材を貫通する切断線として形成され、切り込み部１５の両端間には切り込み部に１５によって形成されたタブ１６の折り曲げを容易にする折り曲げ線すなわち罫線１７が形成されている。第１の上パック部４には、更にまた、切り込み部１５とシート材の両側縁１８との間に仮止めタブ２１を形成する仮止めタブ用切り込み２２が形成されている。このタブ用切り込み２２は中心線Ｏ−Ｏに関して略直角の方向に円弧状に伸びている。これらのタブ用切り込み２２はシート材を貫通する切断線として形成されている。
【００１０】
第２の側面パック部３ａには、シート材の一方（図１では右側）の側縁から幅方向（中心線Ｏ−Ｏと略直角の方向）に途中まで伸びる解体開始部３０が形成されている。この解体開始部３０はマルチパックを解体するために包装材１を構成するシート材を切断してマルチパックの解体を容易にするためのものである。この解体開始部３０は、不連続の複数のへの字形のスリット３１を前記幅方向に所定の間隔でかつ包装材の長手方向に隔てて２列に形成して構成されている。この解体開始部３０はスリット３１の列に挟まれた部分３２の縁部を持ってその部分を他の部分から引き離して解体を開始するようになっている。スリット３１の列の端部を包装材の幅方向の途中まで形成することで、解体片を分離することなく解体できる。第２の側面パック部３ａには、更に、第２の側面パック部３ａと第２の上パック部４ａとの境界に形成された罫線６ａに近い位置で、中心線Ｏ’−Ｏ’が通る位置に、それぞれ前記差込片１１が差し込まれる切り込み部２３が形成されている。切り込み部２３はシート材を貫通する切断線として形成され、罫線６ａと略平行に伸びる部分とその両側の部分とで構成されている。
【００１１】
第２の上パック部４ａには容器を包装してできたマルチパックを手で持つために指を差し込むための把持用開口２６が２個打ち抜き形成されている。これらの把持用開口２６は中心線Ｏ−Ｏを軸対称に形成されていてる。把持用開口２６は、第１の上パック部４に形成された切り込み部１５及び罫線１７によって形成されるタブ１６とほぼ同じ形成になっている。第２の上パック部４ａには、更にまた、把持用開口２６とシート材の両側縁１８との間に、第１の上パック部４に形成された仮止めタブ２１を受けるための細長い仮止め開口２７が形成されている。この仮止め開口２７は中心線Ｏ−Ｏに関して略直角の方向に円弧状に伸びている。
なお、図１において２０は仮止めタブ用切り込み２２の位置に包装材の幅方向に伸長させて形成された罫線であって、その部分での包装材の折り曲げを容易にするものであるが、この罫線は必ずしも必要ではない。
【００１２】
次に上記構成の包装材を用いて６個の缶を包装してマルチパックにする手順を図２−１及び図２−２を参照して説明する。
包装材１を図２−１（Ａ）に示されるように拡げた状態で、まず、図２−１（Ｂ）に示されるように罫線６、６ａ及び２０で予め折り癖を付けておく。そして底パック部の上に容器としての缶ｃを図２−１（ｃ）に示されるように６個並べる。この場合各缶ｃの底縁の一部が位置決め開口８、８ａの位置になるようにする。その後、図２−１（Ｄ）に示されるように罫線５及び５ａで包装材を折り曲げる。この場合第２の上パック部４ａが第１の上パック部４の下側になるように折られる。
次に、図２−２（Ｅ）に示されるように、第１の上パック部に形成された仮止めタブ２１を第２の上パック部に形成された仮止め開口２７に挿入して仮止めする。その後、図２−２（Ｆ）に示されるようにした後、図２−２（Ｇ）に示されるように差込片１１を切り込み部２３に差し込んで包装は終了し、マルチパックができあがる。
かかるマルチパックを販売して購入者が手で持つときは、タブ１６を指で押すと、タブは下側にある第２の上パック部に形成された把持用開口２６内に罫線１７で折り曲げられる。このため把持用開口内に指を差し込んでマルチパックを掴むことが可能になる。
【００１３】
【発明の効果】
本発明によれば、次のような効果を奏することが可能になる。
（イ）手作業で複数の容器の包装を簡単かつ迅速に行い集合包装とすることができる。
（ロ）非熟練者でも簡単に容器を集合包装することができる。
（ハ）マルチパックとして包装した後は容器がパックの外に飛び出したり、包装材自体が破損したりしない。
【図面の簡単な説明】
【図１】本発明によるマルチパック用包装材の一実施例の平面図である。
【図２−１】図１の包装材を使用して容器を包装する手順を示す図である。
【図２−２】図１の包装材を使用して容器を包装する手順を示す図である。
【符号の説明】
１  マルチパック用包装材              ２  底パック部
３、３ａ  側面パック部                ４、４ａ  上パック部
８、８ａ  位置決め開口                ９、９ａ  位置決め開口
１１  差込片                          １５  切り込み部
２２  切り込み                        ２６  把持用開口
２７  仮止め開口
【図１】
2004359256.tif 000003
【図２−１】
2004359256.tif 000004
【図２−２】
2004359256.tif 000005